(57)【要約】【課題】  本体の設計変更をしないでウエイトの数を増減のみで種々のタイプに対応できるようにして製造コストの低減を図るとともに、ウエイトの数が増減されてもリーリング時及びキャスティング時のバランスを保持できるようにした。【解決手段】  前端側に釣糸が結束されるとともに長手方向に沿って分割形成した一対の分割体１０ａ，１０ｂを互いに接合して形成される非磁着性の本体１０と、この本体１０内で前後方向に移動可能な磁着性の１個または２個以上のウエイト２５と、本体１０内に形成され各ウエイト２５を移動可能にガイドする移動経路部３０と、この移動経路部３０の経路の途中に設けられ各ウエイト２５を磁着により保持する保持体４０とを備え、分割体１０ａ，１０ｂの接合前に保持体４０を移動経路部３０の経路上で、前後方向に位置調整可能にした。【選択図】  図１
2005261385.tif 000002
【特許請求の範囲】
【請求項１】
前端側に釣糸が結束される非磁着性の本体と、該本体内で前後方向に移動可能な磁着性の１個または２個以上のウエイトと、上記本体内に形成され上記各ウエイトを移動可能にガイドするガイド壁を有した移動経路部と、該移動経路部の経路の途中に設けられ上記各ウエイトを磁着により保持する保持体とを備え、上記ウエイトの移動により重心を移動させることができるルアーにおいて、
上記保持体を上記移動経路部の経路上で、前後方向に位置調整可能にしたことを特徴とするルアー。
【請求項２】
前端側に釣糸が結束される非磁着性の本体と、該本体内で前後方向に移動可能な磁着性の１個または２個以上のウエイトと、上記本体内に形成され上記各ウエイトを移動可能にガイドするガイド壁を有した移動経路部と、該移動経路部の経路の途中に設けられ上記各ウエイトを磁着により保持する保持体とを備え、上記ウエイトの移動により重心を移動させることができるルアーにおいて、
上記本体を、長手方向に沿って分割形成した一対の分割体を互いに接合して形成し、当該分割体の接合前に上記保持体を上記移動経路部の経路上で、前後方向に位置調整可能にしたことを特徴とするルアー。
【請求項３】
上記移動経路部に上記保持体を着脱可能に支持する支持部を所定間隔で複数設けたことを特徴とする請求項２記載のルアー。
【請求項４】
上記支持部を、上記移動経路部のガイド壁の前後方向に所定間隔で複数形成され、上記保持体が係合する溝で構成したことを特徴とする請求項２または３記載のルアー。
【請求項５】
上記保持体を、ウエイトを磁着するマグネットと、該マグネットの一端に設けられる板状の支持板とを備えて構成し、上記溝を上記保持体の支持板が着脱自在に係合する形状に形成したことを特徴とする請求項４記載のルアー。
【請求項６】
上記本体に、基端部が固定され釣針を係止するためのフックを備え、
上記移動経路部の前後方向の中間であって、該移動経路部のガイド壁に上記フックの基端部を埋設したことを特徴とする請求項１，２，３，４または５記載のルアー。
【発明の詳細な説明】
【技術分野】
【０００１】
本発明は、釣りに用いられるルアーに係り、特に、重心を移動させることができるルアーに関する。
【背景技術】
【０００２】
一般に、釣りに用いられるルアーにあっては、図８に示すように、ルアーが湖や川等の水面付近を泳ぐフローティングタイプＬ１と、水面から所定間隔潜って泳ぐサスペンドタイプＬ２と、水中深く潜って湖や川等の底近傍を泳ぐシンキングタイプＬ３の３つのタイプがある。
【０００３】
従来、フローティングタイプのルアーとしては、例えば、特許文献１（特開２００１−２９９１５４号公報）に記載されたものが知られている。
図９に示すように、このルアーＬａは、前端側に釣糸が結束される樹脂などで中空形成された磁着性の疑似魚状本体１と、この本体１の内部で移動可能な磁着性で球状の２つの第１ウエイト２と、この２つの第１ウエイト２を本体１内下側で本体１の長手方向に沿って移動可能にガイドする第１移動経路部３と、本体１内で移動可能なマグネットからなる球状の第２ウエイト４と、この第２ウエイト４を本体１内の第１移動経路部３の前側において第１ウエイト２と交差する方向に移動可能にガイドする後側上方へ傾斜した第２移動経路部５とを備え、第１及び第２ウエイト２，４の移動により重心を移動させることができるようにしている。また、第１及び第２移動経路部３，５の前端には、山形の金属製基板６が設けられ、この前端位置において基板６を介してマグネットからなる第２ウエイト４が第１ウエイト２を磁着保持する。また、このルアーＬａの本体１の中央下部及び後端には、釣針を係止するためのフック７が設けられている。
このルアーＬａを用いて釣りを行なう際、ルアーＬａのキャスティング時には、第１及び第２ウエイト２，４が後端へ移動し、重心が後端側へ移動するので遠投性とコントロール性が向上させられる。一方、リーリング時には、第１及び第２ウエイト２，４が磁力により前端に移動して互いに磁着し、重心が中央に位置するようになるので、疑似魚状のルアーＬａが泳ぐような姿勢をとるようになる。
【０００４】
ところで、このフローティングタイプＬ１のルアーＬａにおいて、製造段階で、サスペンドタイプＬ２及びシンキングタイプＬ３のいずれかのタイプになるようにルアーＬａ全体の重さを調整するが、その場合には、その泳ぎが自然になるようにルアーＬａ全体の重心が本体１中央下部のフック７の位置にくるように考慮して、第１及び第２ウエイト２，４の両方の数あるいは重さを増加させて調整する。
【０００５】
【特許文献１】特開２００１−２９９１５４号公報
【発明の開示】
【発明が解決しようとする課題】
【０００６】
しかしながら、上記従来のルアーＬａにあっては、タイプ変更しようとした場合に、ルアーＬａの後側に位置する第１ウエイト２の数や重さに応じて、ルアーＬａの前側に位置する第２ウエイト４の数や重さを増やさなければならなくなり、その為、リーリング時には重心が中央に位置するのでバランスが良いが、反面、キャスティング時には、前側が重くなって、バランスを失ってしまうことがあり、飛行に支障を生じさせるという問題があった。
この問題の解消のために、本体の形状をフローティングタイプＬ１，サスペンドタイプＬ２及びシンキングタイプＬ３の夫々のタイプに対応して作成し、前側の第２ウエイト４の重さをそのままにして、後側の第１ウエイト２の重さのみを変えてルアーＬａの前後のバランスを均等に保つことが考えられる。しかし、この場合、逐一、本体１を別々に作らなければならなくなり、本体の種類が多くなって、製造コストが高くなってしまうという問題があった。
【０００７】
本発明は上記の問題点に鑑みて為されたもので、本体の設計変更をしないでウエイトの数の増減のみで種々のタイプに対応できるようにして製造コストの低減を図るとともに、ウエイトの数が増減されてもリーリング時及びキャスティング時のバランスを保持できるようにしたルアーを提供することを目的とする。
【課題を解決するための手段】
【０００８】
このような目的を達成するための本発明のルアーは、前端側に釣糸が結束される非磁着性の本体と、該本体内で前後方向に移動可能な磁着性の１個または２個以上のウエイトと、上記本体内に形成され上記各ウエイトを移動可能にガイドするガイド壁を有した移動経路部と、該移動経路部の経路の途中に設けられ上記各ウエイトを磁着により保持する保持体とを備え、上記ウエイトの移動により重心を移動させることができるルアーにおいて、上記保持体を上記移動経路部の経路上で、前後方向に位置調整可能にしている。
【０００９】
このルアーの製造の際には、移動経路部の途中に保持体を設けるとともに、この保持体より後側にウエイトを入れてルアーのタイプに応じてウエイトの数を増減する。この際、このウエイトの数に応じて保持体を移動させ、保持体によるウエイトの保持時におけるルアー全体の重心の位置を変更する。そのため、ウエイトの数が増減しても、重心の位置をウエイトの保持時にルアーの前後のバランスが均等になる位置に位置させられるようになる。これにより、本体の設計変更をしないでよくなり、容易にタイプを変更して製造できるようになるので、ルアーの金型を新たに作る等の製造コストが低減される。
【００１０】
このルアーを用いて釣りを行なう際には、ルアーを、釣竿から延びる釣糸に結束し、この釣竿を操作してルアーをキャスティングする。この際、ウエイトに急激な遠心力が加わり、このウエイトが保持体から離間するとともに、移動経路部内を通って後方に移動する。この際、ウエイトが移動経路部の後端に衝止することでルアーは遠方へ飛行していく。この場合、ウエイトは前側には無いので、後側に作用する力が大きくなり、そのため、より確実に遠方へ飛行させることができる。
次に、ルアーが着水すると、保持体にウエイトが磁着する。この状態では、保持体の位置調整により重心が本体前後の重さのバランスが均等になる位置に位置させられているので、ルアーが水中で略水平状態になる。そして、この状態で、リーリングが行なわれると、重心を軸にルアーがあたかも魚のように動く泳ぎをするようになる。
【００１１】
より詳しくは、前端側に釣糸が結束される非磁着性の本体と、該本体内で前後方向に移動可能な磁着性の１個または２個以上のウエイトと、上記本体内に形成され上記各ウエイトを移動可能にガイドする移動経路部と、上記移動経路部の経路の途中に設けられ上記各ウエイトを磁着により保持する保持体とを備え、上記ウエイトの移動により重心を移動させることができるルアーにおいて、上記本体を、長手方向に沿って分割形成した一対の分割体を互いに接合して形成し、当該分割体の接合前に上記保持体を上記移動経路部の経路上で、前後方向に位置調整可能にしている。
【００１２】
このルアーの製造の際には、一対の分割体のうちいずれか一方の分割体において、移動経路の途中に保持体を設けるとともに、この保持体より後側にウエイトを入れる。この状態で、他方の分割体を、一方の分割体に合わせる。この際、分割体の接合面は接着剤等により接着される。
この場合、分割体の接合前に、ルアーのタイプに応じてウエイトの数を増減するとともに、このウエイトの数に応じて保持体を移動させ、保持体によるウエイトの保持時におけるルアー全体の重心の位置を変更する。そのため、ウエイトの数が増減しても、重心の位置をウエイトの保持時にルアーの前後のバランスが均等になる位置に位置させられるようになる。これにより、本体の設計変更をしないでよくなり、容易にタイプを変更して製造できるようになるので、ルアーの金型を新たに作る等の製造コストが低減される。
また、このルアーにおいて、ルアーの泳ぎの試験を行なう際にあっても、分割体同士を仮止めする等して止めておけば、再び分割して、ウエイトの数を増減させて保持体の位置を調整するだけで容易にタイプ変更できるので、試験を容易に行なえるようになる。
【００１３】
また、必要に応じ、上記移動経路部に上記保持体を着脱可能に支持する支持部を所定間隔で複数設けている。
これにより、ウエイトの数に応じて保持体の位置を調整する際、支持部を所定間隔で複数設けているので、保持体を段階的に移動するだけで、重心調整ができ、調整作業が容易になる。また、調整作業が容易なので、ルアーの泳ぎの試験の際、重心の位置調整が容易なので、試験も容易になる。
【００１４】
更に、必要に応じ、上記支持部を、上記移動経路部のガイド壁の前後方向に所定間隔で複数形成され、上記保持体が係合する溝で構成している。
溝なので、着脱が容易であり、また、保持体の係合が確実になる。
【００１５】
更にまた、必要に応じ、上記保持体を、ウエイトを磁着するマグネットと、該マグネットの一端に設けられる板状の支持板とを備えて構成し、上記溝を上記保持体の支持板が着脱自在に係合する形状に形成している。
マグネットの磁着によりウエイトを確実に保持できるようになる。また、溝に係合した支持板によりマグネットが確実に支持されるので、これによってもウエイトの保持が確実になる。
【００１６】
そしてまた、必要に応じ、上記本体に、基端部が固定され釣針を係止するためのフックを備え、上記移動経路部の前後方向の中間であって、該移動経路部のガイド壁に上記フックの基端部を埋設している。
フックの基端部を移動経路部のガイド壁に埋設したので、フックの前側に保持体を位置させ、ウエイトがフックのある前後を移動可能にできることになり、そのため、経路上にフックの基端部があるものと比較して、フックの基端部により保持体の位置調整が制限されなくなり、ルアーの前後方向において保持体の位置調整の自由度が高くなる。そのため、ウエイトの数の自由度も高くなる。
【発明の効果】
【００１７】
本発明のルアーによれば、保持体を移動経路部の経路上で、前後方向に位置調整可能にしたので、ルアーの製造の際に、ルアーのタイプに応じてウエイトの数を増減しても、このウエイトの数に応じて保持体を移動させることで、重心の位置をウエイトの保持時にルアーの前後のバランスが均等になる位置に位置させることができ、本体の設計変更をしなくても、容易にタイプを変更して製造できるようになり、ルアーの金型を新たに作る等の製造コストが低減される。また、キャスティング時には、全てのウエイトが移動経路部の後端に衝止して、後側に作用する力が大きくなり、より確実に遠方へ飛行させることができる。リーリングの際には、重心の位置の調整が行なわれているので、この重心を軸にルアーがあたかも魚のように動く泳ぎをするようになる。
【発明を実施するための最良の形態】
【００１８】
以下、添付図面に基づいて、本発明の実施の形態に係るルアーについて詳細に説明する。
【００１９】
図１乃至図６には、本発明の実施の形態に係るルアーＬを示している。
このルアーＬの基本的構成は、前端側に釣糸が結束される非磁着性の本体１０と、この本体１０内で前後方向に移動可能な磁着性の１個または２個以上のウエイト２５と、本体１０内に形成され各ウエイト２５を移動可能にガイドするガイド壁３６を有した移動経路部３０と、移動経路部３０の経路の途中に設けられ各ウエイト２５を磁着により保持する保持体４０とを備えてなる。そして、このルアーＬは、本体１０が、長手方向に沿って分割形成した一対の分割体１０ａ，１０ｂを互いに接合して形成され、分割体１０ａ，１０ｂの接合前に保持体４０を移動経路部３０の経路上で、前後方向に位置調整可能に形成されている。
【００２０】
詳しくは、本体１０は、例えば、外形が疑似魚状に形成され、下縁は略直線状に形成され上縁は弧状に形成されている。本体１０は、本体１０の前後方向においてその重心が後述の第１フック１５が設けられる位置に位置するように形成されている。一対の分割体１０ａにおいては、一方の分割体１０ａと他方の分割体１０ｂとは略左右対称に設けられ、接合面１１は樹脂等の接着剤で接合されている。
また、本体１０の前端側には、本体１０に一体に設けられるリップ１２が設けられている。このリップ１２には、釣竿から延びる釣糸が結束されるリング状の釣糸結束部１３が設けられている。
【００２１】
更に、本体１０には、この本体１０に基端部１６が固定され釣針を係止するための第１フック１５が備えられている。
第１フック１５は、平面板状に形成される基端部１６と、この基端部１６に立設されるリング状のリング部１７とを備えて構成されている。また、この第１フック１５は、本体１０に、移動経路部３０の前後方向の中間であって、移動経路部３０のガイド壁３６に基端部１６が埋設されて備えられている。
【００２２】
第１フック１５の基端部１６は、分割体１０ａ，１０ｂの接合前に、各分割体１０ａ，１０ｂのガイド壁３６の接合面１１に凹設される凹溝１８に嵌合され、分割体１０ａ，１０ｂの接合とともに、埋設されて本体１０に備えられる。第１フック１５のリング部１７は、分割体１０ａ，１０ｂの接合前に、凹溝１８からルアーＬの下側外側に連通する連通溝１９ａを通過させられて、分割体１０ａ，１０ｂの接合後に、各連通溝１９ａから本体１０の外側に露出させられる。
【００２３】
また、本体１０には、この本体１０に基端部１６が固定され釣針を係止するための第２フック２０が備えられている。
第２フック２０は、一方側２３及び他方側２４に孔を有した８字状のリング部材２１で構成されている。このリング部材２１は、一方側２３が本体１０の後端部に埋設されるとともに、他方側２４が本体１０の外部に露出させられてこれに釣針（図示せず）が係止可能に形成されている。このリング部材２１の一方側は、分割体１０ａ，１０ｂの接合前に、本体１０の後端側に設けられる嵌合部２２に嵌合させられ、分割体１０ａ，１０ｂの接合とともに本体１０に埋設される。
【００２４】
ウエイト２５は、本体１０の内部に設けられ、例えば、移動経路部３０を転動する球状の金属で形成されている。このウエイト２５は、図８に示すように、ルアーＬが湖や川等の水面付近を泳ぐフローティングタイプＬ１と、水面から所定間隔潜って泳ぐサスペンドタイプＬ２と、水中深く潜って湖や川等の底近傍を泳ぐシンキングタイプＬ３の３つのタイプに応じ、ルアーＬ全体の重さを調整するために、分割体１０ａ，１０ｂの接合の前にその数が変えられて本体１０内に設けられている。
実施の形態においては、ウエイト２５は、直径６ｍｍのボールで構成した。
【００２５】
移動経路部３０は、本体１０の内部に略直線状に設けられ、本体１０の下縁に沿う横断面Ｕ字状のガイド壁３６と、ガイド壁３６の両側壁３６ｂから相対向して突設される一対の凸条３７とで構成されている。移動経路部３０の前端３０ａは、本体１０の前端の後位にあり、後端３０ｂは、第２フック２０の前位に位置させられている。また、移動経路部３０のガイド壁３６の底面３６ａは、第１フック１５のある位置から前端３０ａ側及び後端３０ｂ側の夫々に向けて下る斜面に形成されている。分割体１０ａ，１０ｂが接合された状態では両方の凸条３７間には、ウエイト２５が転動してガイドされる隙間が形成される。
【００２６】
保持体４０は、分割体１０ａの接合前に移動経路部３０の経路上で、前後方向に位置調整可能に設けられる。
詳しくは、この保持体４０は、移動経路部３０に所定間隔で複数設けられる支持部４５により、着脱可能に支持されている。保持体４０は、ウエイト２５を磁着するマグネット４１と、マグネット４１の一端に設けられ後述の支持部４５の溝４６に着脱自在に係合する円形板状の支持板４２とを備えて構成されている。
マグネット４１は、円柱状に形成され、ルアーＬの長手方向に軸を平行にして設けられるとともに、この軸方向の端面に磁極を有している。
支持板４２は、磁着可能な金属で形成されるとともに、マグネット４１と磁着している。
【００２７】
支持部４５は、ルアーＬの前後方向であって移動経路部３０のガイド壁３６の底面３６ａ及び凸条３７に所定間隔で複数形成される保持体４０の支持板４２が係合可能な溝４６で構成されている。この溝４６は、例えば、ウエイト２５の半径と略同じ間隔で形成され（実施の形態では３ｍｍの間隔で５つ）、ウエイト２５の数ｎに対して、前後方向の後ろからｎ番目の溝４６に支持板４２が係合される。
【００２８】
次に、このルアーＬの製造の仕方について説明する。まず、フローティングタイプＬ１の場合について説明する。実施の形態のルアーＬにおいては、ウエイト（２５）１個のものをフローティングタイプＬ１としている。
この場合、例えば、図１乃至図４に示す、マグネット４１と支持板４２とを磁着させて保持体４０を形成するとともに、一対の分割体１０ａ，１０ｂのうちいずれか一方の分割体（実施の形態においては分割体１０ａ）において、支持部４５の溝４６に保持体４０の支持板４２を係合させる。この場合、ウエイト２５の数に合わせて支持板４２の係合，位置を調整する。実施の形態においては、ウエイト２５は１個なので、支持部４５の溝４６のうち、ルアーＬの前後方向において後ろから１番目の溝４６に支持板４２を係合する。そして、保持体４０の後側の移動経路部３０に、１個のウエイト２５を入れる。
【００２９】
次に、リップ１２に釣糸結束部１３を設け、第１フック１５の基端部１６を凹溝１８に、第１フック１５のリング部１７を連通溝１９ａに、第２フック２０のリング部材２１の一方側２３を嵌合部２２に夫々嵌合する。そして、他方の分割体１０ｂを、一方の分割体１０ａに合わせる。この際、分割体１０ａ，１０ｂの接合面１１を接着剤等により接着する。
【００３０】
次に、図１及び図５に示すように、サスペンドタイプＬ２の製造の仕方について説明する。実施の形態のルアーＬにおいては、ウエイト（２５）２個のものを、サスペンドタイプＬ２にしている。
このルアーＬは、上記ウエイト２５の数が１個の場合と同様に、例えば、マグネット４１と支持板４２とを磁着させて保持体４０を形成するとともに、ウエイト２５が２個の場合なので、この保持体４０の支持板４２を、支持部４５の溝４６のうち、ルアーＬの前後方向において後ろから２番目の溝４６に係合する。そして、移動経路部３０に２個のウエイト２５を入れる。これ以外は上記ウエイト（２５）１個の場合と同様である。
【００３１】
次にまた、図１及び図６に示すように、ウエイト２５の数を３個にした場合のルアーＬの製造の仕方について説明する。実施の形態のルアーＬにおいては、ウエイト（２５）３個にしたものをシンキングタイプＬ３にしている。
このルアーＬは、上記ウエイト２５の数が１個の場合と同様に、例えば、マグネット４１と支持板４２とを磁着させて保持体４０を形成するとともに、ウエイト２５が３個の場合なので、この保持体４０の支持板４２を、支持部４５の溝４６のうち、ルアーＬの前後方向において後ろから３番目の溝４６に係合する。そして、移動経路部３０に３個のウエイト２５を入れる。これ以外は上記ウエイト（２５）１個の場合と同様である。
【００３２】
これにより、ウエイト２５の数が増減しても、保持体４０の位置を調整することで重心の位置をルアーＬの前後のバランスが均等になる位置に位置させられるようになる。これにより、本体１０の設計変更をしないでよくなり、容易にタイプを変更して製造できるようになるので、ルアーＬの金型を新たに作る等の製造コストが低減される。
また、第１フック１５の基端部１６を移動経路部３０のガイド壁３６に埋設したので、従来のものと比較して、第１フック１５の基端部１６により保持体４０の位置調整が制限されなくなることから、ルアーＬの前後方向において保持体４０の位置調整の自由度が高くなる。そのため、ウエイト２５の数の自由度も高くなる。
更に、支持部４５が所定間隔で複数設けられているので、ウエイト２５の数に応じて、保持体４０を段階的に移動するだけで、保持体４０の位置調整を行なうことができ、位置調整が容易になる。
また、支持部４５が溝４６で構成されているので、保持体４０の係合が確実になる。
【００３３】
この実施の形態に係るルアーＬを用いて釣りを行なう際には、以下のようにして行なう。まず、第１フック１５及び第２フック２０に釣針（図示せず）を係止したフローティングタイプＬ１，サスペンドタイプＬ２及びシンキングタイプＬ３のいずれかのタイプのルアーＬを、釣竿（図示せず）から延びる釣糸に結束する。
そして、この釣竿を操作してルアーＬをキャスティングする。この際、図２，図５及び図６に示すように、ウエイト２５に急激な遠心力が加わり、このウエイト２５は保持体４０のマグネット４１から離間するとともに、移動経路部３０内を通って後方に移動し、移動経路部３０の後端３０ｂに衝止する。
【００３４】
この際、ウエイト２５は、本体１０の前側になく全て後側に移動していくので、後側に作用する力が大きくなる。そのため、飛行時のルアーＬのバランスが良くなり、このルアーＬを遠方へ飛行させられるようになる。
また、この際、ウエイト２５は、凸条３７により上下方向の動きが制限されるとともにガイド壁３６との接触面積が小さくなっているので、移動抵抗が少なくなり、そのため、移動が円滑になり、ルアーＬの応答性が向上させられる。
このように、ウエイト２５が移動経路部３０の後端３０ｂに衝止することでルアーＬは遠方へ飛行していく。この場合、ウエイト２５はルアーＬの前側には無いので、後側に作用する力が大きくなり、そのため、より確実に遠方へ飛行させることができる。
【００３５】
次に、ルアーＬが着水すると、保持体４０のマグネット４１によりウエイト２５がマグネット４１側に引っ張られるとともに、この保持体４０に磁着する。この際にも、ウエイト２５は、凸条３７により上下方向の動きが制限されるとともにガイド壁３６との接触面積が小さくなっているので、移動抵抗が少なくなり、ルアーＬの応答性が向上させられる。また、この際、ウエイト２５の重さにより、フローティングタイプＬ１は水面近傍を、サスペンドタイプＬ２は水中を、シンキングタイプＬ３は底の方に沈んでいく。
この状態においては、フローティングタイプＬ１，サスペンドタイプＬ２及びシンキングタイプＬ３のいずれの場合にも、保持体４０の位置調整により重心がルアーＬの前後方向において第１フック１５のある位置に位置させられているので、本体１０前後の重さのバランスが均等になりルアーＬが水中で略水平状態になる。そして、この状態で、リーリングが行なわれると、ルアーＬは、重心を軸にしてあたかも魚のように動く泳ぎをするようになる。そのため、ウエイト２５の数が増減されていても、ルアーＬの泳ぎが損なわれないようになる。
【００３６】
次に、本発明の別の実施の形態に係るルアーについて説明する。
図７に示すように、このルアーＬは、上記のものとは、保持体４０及び支持部４５が異なっている。
詳しくは、保持体４０を円柱状のマグネット４１で構成するとともに、支持部４５をこの保持体４０であるマグネット４１が係合する溝４６ａで構成している。これ以外の構成は上記と同様である。
このルアーＬは、支持板が無い分、部品点数が低減されているので、それだけ、組み立て作業が容易になる。
この他の作用，効果は上記と同様である。
【００３７】
尚、本発明のルアーＬは、上記実施の形態に限定されるものでなく、保持体４０を金属で形成し、ウエイト２５をマグネット４１で形成してもよい。
尚また、フローティングタイプＬ１，サスペンドタイプＬ２及びシンキングタイプＬ３と、ウエイト２５の数の関係は、本体１０の素材や形状及びウエイト２５の比重等により異なるので、上記に限定されるものでなく、ウエイト２５の数及び保持体４０の位置を適宜変更して差し支えない。
【図面の簡単な説明】
【００３８】
【図１】本発明の実施の形態に係るルアーの分解斜視図である。
【図２】本発明の実施の形態に係るルアーを示し、ウエイトの数を１個にした縦断面図である。
【図３】本発明の実施の形態に係るルアーの図１中Ａ−Ａ線の断面を示す図である。
【図４】本発明の実施の形態に係るルアーを示す要部拡大図である。
【図５】本発明の実施の形態に係るルアーを示し、ウエイトの数を２個にした縦断面図である。
【図６】本発明の実施の形態に係るルアーを示し、ウエイトの数を３個にした縦断面図である。
【図７】本発明の別の実施の形態に係るルアーを示す要部拡大図である。
【図８】ルアーのタイプの一例を示す図である。
【図９】従来のルアーの一例を示す図である。
【符号の説明】
【００３９】
Ｌ  ルアー
Ｌ１  フローティングタイプのルアー
Ｌ２  サスペンドタイプのルアー
Ｌ３  シンキングタイプのルアー
１０  本体
１０ａ，１０ｂ  分割体
１１  接合面
１２  リップ
１３  釣糸結束部
１５  第１フック
１６  基端部
１７  リング部
１８  凹溝
１９  連通孔
１９ａ  連通溝
２０  第２フック
２１  リング部材
２２  嵌合部
２５  ウエイト
３０  移動経路部
３０ａ  前端
３０ｂ  後端
３６  ガイド壁
３６ａ  底面
３６ｂ  側壁
３７  凸条
４０  保持体
４１  マグネット
４２  支持板
４５  支持部
４６  溝
【図１】
2005261385.tif 000003
【図２】
2005261385.tif 000004
【図３】
2005261385.tif 000005
【図４】
2005261385.tif 000006
【図５】
2005261385.tif 000007
【図６】
2005261385.tif 000008
【図７】
2005261385.tif 000009
【図８】
2005261385.tif 000010
【図９】
2005261385.tif 000011